(57)【要約】【課題】ユーザの空き時間を測定し、ユーザの嗜好にあった番組を推薦することが可能な、映像受信端末を提供する。【解決手段】映像受信端末１００は放送網８００、通信網９００に接続してあり放送番組や、番組表を取得する。映像受信端末は、ユーザの空き時間を取得するために、内部の構成要素である視聴予約部１０７に登録されてある２つの予約番組を利用する。空き時間取得部１０５は１つの番組が終了した時刻から、もう１つの番組が開始する時刻までをユーザの空き時間として取得する。同時に嗜好番組取得部１０４は、視聴予約している２番組のジャンルや、出演者等のキーワードをユーザの嗜好情報として抽出する。嗜好番組取得部１０４は、キーワードとユーザの空き時間を基に、番組表記録部１０３から提供される番組表に対してユーザの嗜好する番組を検索する。【選択図】図１
2007281841.tif 000002
【特許請求の範囲】
【請求項１】
放送網及び／または通信網を通じて、番組と番組情報を受信可能な映像受信端末であって、
ユーザの空き時間を取得する空き時間取得手段と、
前記空き時間取得手段が取得したユーザの空き時間とユーザの嗜好に基づき前記番組情報から一つまたは複数の番組を抽出する嗜好番組取得手段とを
備えたことを特徴とする映像受信端末。
【請求項２】
前記嗜好番組取得手段が抽出した番組の一覧を表示する表示手段を備えたことを特徴とする請求項１に記載の映像受信端末。
【請求項３】
ユーザが将来視聴する番組を登録可能な視聴予約手段を備え、前記空き時間取得手段は、前記視聴予約手段により登録された２つの番組からユーザの空き時間を取得することを特徴とする請求項１記載の映像受信端末。
【請求項４】
ユーザの嗜好する番組を推薦する嗜好番組推薦手段を備え、前記空き時間取得手段は、前記嗜好番組推薦手段により選択された２つの番組からユーザの空き時間を取得することを特徴とする請求項１記載の映像受信端末。
【請求項５】
現在時刻を取得する現在時刻取得手段と、
ユーザが将来視聴する番組を登録可能な視聴予約手段とを備え、
前記空き時間取得手段は、前記視聴予約手段により登録された１つの番組と前記現在時刻取得手段が取得した現在時刻からユーザの空き時間を取得することを特徴とする請求項１記載の映像受信端末。
【請求項６】
現在時刻を取得する現在時刻取得手段と、
ユーザの嗜好する番組を推薦する嗜好番組推薦手段とを備え、
前記空き時間取得手段は、前期嗜好番組推薦手段により選択された番組と前記現在時刻取得手段が取得した現在時刻からユーザの空き時間を取得することを特徴とする請求項１記載の映像受信端末。
【請求項７】
ユーザが開始時間と終了時間を入力することができる空き時間・嗜好入力手段を備え、
前記空き時間取得手段は、前記空き時間・嗜好手段に入力された開始時間と終了時間からユーザの空き時間を取得することを特徴とする請求項１記載の映像受信端末。
【発明の詳細な説明】
【技術分野】
【０００１】
本発明は、テレビ、セットトップボックス、パーソナルコンピュータ、携帯電話等の映像受信機能を有した端末による番組推薦技術に関する。
【背景技術】
【０００２】
近年、電波放送のデジタル化に伴い多種多様な放送番組が放映されている。また一方で、ＦＴＴＨ（Ｆｉｂｅｒ  Ｔｏ  Ｔｈｅ  Ｈｏｍｅ）の普及に伴い、ブロードバンドでのＩＰ（Ｉｎｔｅｒｎｅｔ  Ｐｒｏｔｏｃｏｌ）放送や、ＶＯＤ（Ｖｉｄｅｏ  Ｏｎ  Ｄｅｍａｎｄ）コンテンツ配信を行うサービスも増え、我々が享受することができる番組数は膨大である。
【０００３】
そのため、膨大な番組の中から、映像受信端末を利用するユーザが、自身の好む番組を取得することができる番組推薦機能の技術開発が盛んに行われてきた。
【０００４】
従来、このような技術には、先行技術として特許文献１がある。映像受信端末は、ユーザの視聴している番組からキーワードの抽出を行い、ユーザの嗜好情報として保存しておく。次に、映像受信端末は、ユーザへ番組を推薦するときに嗜好度が高いキーワード、つまり頻繁に保存されるキーワードを用いて番組表から検索し、ユーザに番組を推薦する。
【０００５】
図２に前述した技術を実現する映像受信端末の構成図を示す。図２において、映像受信端末５００は、ユーザに対して推薦番組を表示する番組推薦機能を持っている。放送網８００は映像受信端末５００へ電波を用いて映像受信端末へ放送番組ならびに電子番組ガイド（以下ＥＰＧと省略）を送信する。入力部５０１はユーザからの操作を受け付ける。チューナ５０２は放送網８００から放送番組とＥＰＧ（Ｅｌｅｃｔｒｏｎｉｃ  Ｐｒｏｇｒａｍ  Ｇｕｉｄｅ）を受信する。番組表記録部５０３はチューナ５０２で取得したＥＰＧを記録する。嗜好番組取得部５０４は図３のようなユーザの嗜好情報を保持しており、嗜好情報を用いてユーザの好む番組情報を番組表記録部５０３から取得する。表示部５０５はユーザに対して推薦番組の表示を行う。
【０００６】
このシステムにおいて、ユーザが映像受信端末へ推薦番組取得要求を送信し、端末が推薦番組を検索し、結果を表示する手順について説明する。
【０００７】
まず、嗜好番組情報部５０４はユーザの視聴履歴から、図３のようなユーザの嗜好情報を表すデータを作成する。次に、ユーザは映像受信端末５００へ推薦番組取得要求を送信する。入力部５０１はユーザからの要求を受信し、嗜好番組取得部５０４へ送信する。嗜好番組取得部５０４はユーザの嗜好度の高いキーワード（図３では「サッカー」）を用いて番組表記録部５０３にある番組表を検索する。検索結果を取得した嗜好番組取得部５０４は検索結果を表示部５０５へ送信し、検索結果と嗜好番組としてユーザに表示する。
【特許文献１】特開平１１−１６４２１７号公報
【発明の開示】
【発明が解決しようとする課題】
【０００８】
しかしながら、従来の番組推薦技術には、２つの問題点がある。１つ目の問題は、映像受信端末は番組を推薦することは可能であるが、推薦した番組が始まるまでの空き時間を埋めることができる番組の推薦が行われていない点である。例えば、従来の番組推薦技術では、現在時刻から２０分後に始まる番組を推薦したとしても、番組が始まる２０分の空き時間を埋めることが可能な番組の推薦は行わない。同様に、異なる２番組を推薦したときには、その間の時間を埋めることができる番組の推薦を行わない。２つ目の問題は、推薦される番組にはユーザの視聴したい時間を反映することができない点である。例えば、ユーザが長さ１時間の番組を視聴したいときでも、従来の番組推薦技術では１時間以上の番組を推薦することがある。
本願発明は、以上の課題を解決することを目的としたものであり、ユーザが希望する視聴時間に適した番組を推薦し、ユーザの空き時間を埋めることを目的とする。
【課題を解決するための手段】
【０００９】
前記従来の課題を解決するために、本願第１の発明にかかる映像受信端末は、ユーザの空き時間を取得する空き時間取得手段と、ユーザの嗜好にあった番組を検索する番組検索手段と、検索結果を表示する結果表示手段を備えることを特徴とする。これにより、空き時間取得手段が取得した時間を基に、番組検索手段が検索した番組の一覧を、結果表示手段が表示することが可能となる。
【００１０】
また、本願第２の発明にかかる映像受信端末は、ユーザの将来視聴する番組を登録する視聴予約手段を備えることを特徴とする。これにより、予約された２番組からユーザの空き時間を取得することが可能となる。
【００１１】
また、本願第３の発明にかかる映像受信端末は、ユーザの嗜好する番組を推薦する嗜好番組推薦手段を備えることを特徴とする。これにより、推薦された２番組からユーザの空き時間を取得することが可能となる。
【００１２】
また、本願第４の発明にかかる映像受信端末は、現在時刻を取得する現在時刻取得手段と、視聴予約手段を備えることを特徴とする。これにより、予約により登録された番組と、現在時刻からユーザの空き時間を取得することが可能となる。
【００１３】
また、本願第５の発明にかかる映像受信端末は、現在時刻取得手段と、嗜好番組推薦を備えることを特徴とする。これにより、推薦された番組と、現在時刻からユーザの空き時間を取得することが可能となる。
【００１４】
また、本願第６の発明にかかる映像受信端末は、ユーザが開始時間と終了時間を入力することができるユーザインターフェース手段を備えることを特徴とする。これにより、ユーザインターフェース手段に入力された開始時間と、終了時間からユーザの空き時間を取得することが可能となる。
【発明の効果】
【００１５】
本発明の番組推薦映像端末によれば、映像受信端末が、ユーザの空き時間を測定し、時間を埋める番組を推薦することが可能になるため、ユーザは煩雑な作業を行うことなく、時間を埋めることができるユーザの嗜好にあった最適な番組を享受することができる。
【発明を実施するための最良の形態】
【００１６】
以下本発明を実施するための形態について、図面を参照しながら説明する。
（実施の形態１）
本実施の形態では、映像受信端末が、ユーザの空き時間を取得し、ユーザの空き時間を埋めることが可能な、嗜好に合った番組を推薦するために、ユーザが視聴予約を行った２番組を利用する場面をモデルケースとして説明する。
【００１７】
本発明の実施の形態における映像受信端末の構成図を示した図１について説明する。
【００１８】
図１において、映像受信端末１００は放送網８００と通信網９００に接続している。映像受信端末１００は、デジタルテレビ、セットトップボックス、パーソナルコンピュータ、携帯電話等の電波放送や通信ネットワークでの映像配信に対応した家電製品が考えられるが、これに限定されるものではない。
【００１９】
放送網８００は映像受信端末１００に電波で放送番組やＥＰＧを送信する。
【００２０】
通信網９００は通信ネットワークで映像受信端末１００に放送番組やＶＯＤコンテンツ、ＥＰＧ、ＶＯＤコンテンツ一覧表を配信する。ここで通信網は電話回線（ダイアルアップ）や、ＡＤＳＬ、光ファイバ網が考えられるが、これに限定されるものではない。
【００２１】
次に映像受信端末１００の内部構成を説明する。
【００２２】
入力部１０１は、ユーザからの操作を受け付ける。ユーザの操作はリモコンからの操作や入力パネルからの操作が考えられるが、これに限定されるものではない。
【００２３】
チューナ部１０２は、放送網８００、通信網９００から放送番組、ＶＯＤコンテンツ、ＥＰＧ、ＶＯＤコンテンツ一覧表を受信する。
【００２４】
番組表記録部１０３は、図４のようなＥＰＧと図５のようなＶＯＤコンテンツ一覧表をチューナ部１０２から受信する。
【００２５】
嗜好番組取得部１０４は、ユーザの嗜好にあった番組を番組表記録部１０３から検索する。
【００２６】
空き時間取得部１０５は、ユーザの空き時間を視聴予約部１０７に登録されている番組を基に取得する。
【００２７】
表示部１０６は、嗜好番組取得部１０４の検索結果やＥＰＧを表示する。
【００２８】
視聴予約部１０７では、ユーザが入力部１０１を通じて予約したユーザの将来視聴する番組が図６のように登録されている。
【００２９】
以下に、図７のフローチャートを使用して、上記の映像受信端末に視聴予約された２つの番組からユーザの空き時間を取得し、空き時間を埋めることができる番組を推薦する動作を説明する。
【００３０】
ユーザは、映像受信端末１００にＥＰＧを表示する要求を送信する。要求を受信した入力部１０１は表示部１０６に番組表を表示する要求を送信する。（Ｓ１００）。
【００３１】
表示部１０６は番組表記録部１０３からＥＰＧを取得し、ＥＰＧを表示する（Ｓ１０１）。例えば、図４のようなＥＰＧを表示する。
【００３２】
ユーザは番組表から視聴予約したい番組を選択し、視聴予約要求を入力する。入力部１０１は、視聴予約部１０７へユーザの視聴予約要求を送信する。視聴予約部１０７は予約番組を登録する（Ｓ１０２）。例えば、図４中のＡＢＣ放送のバラエティ、ＤＥＦ放送のサッカー中継を視聴予約したとすると、予約結果は図６のような結果となる。
【００３３】
視聴予約部１０７は、登録された２つの予約番組を嗜好番組取得部１０４と空き時間取得部１０５の双方へ送信する。空き時間取得部１０５は、先に開始する番組の終了時刻から、次に開始する番組の開始時刻までを空き時間として測定する（Ｓ１０３）。例えば、空き時間取得部１０５は図６に登録されてある２番組から空き時間を１５分と測定する。
【００３４】
嗜好番組取得部１０４は、番組表記録部１０３からＥＰＧとＶＯＤコンテンツ一覧表を取得し、視聴予約部１０７から送信されてきた２番組のキーワードをＥＰＧとＶＯＤコンテンツ一覧表から抽出する（Ｓ１０４）。例えば、キーワードとして、バラエティ、サッカー、山田太郎、日本、ブラジル等が抽出される。
【００３５】
嗜好番組取得部１０４は、番組表記録部１０３からＥＰＧとＶＯＤコンテンツ一覧表を取得し、空き時間取得部１０５が取得した空き時間と、視聴予約番組から取得したキーワードから、番組を検索する（Ｓ１０５）。例えば、図４のＥＰＧ、図５のＶＯＤコンテンツ一覧表に対して、嗜好番組取得部１０４が検索を行うと、バラエティ番組のＢＢＢが検索結果として返される。
【００３６】
嗜好番組取得部１０４は、番組が検索できたときは、表示部１０６で検索結果を推薦番組として表示し（Ｓ１０７）、検索できなかったときは、表示部１０６で何も表示しない（Ｓ１０８）。
【００３７】
なお、本実施の形態では、ユーザの空き時間を測定するための２番組を、番組表を用いた視聴予約から取得したが、映像受信端末が推薦した２番組から取得する方法も考えられる。以下その方法について説明する。
【００３８】
映像受信端末が推薦した２番組からユーザが空き時間を測定し、２番組間の間を埋める番組を推薦するフローチャートを図８に示す。
【００３９】
ユーザは、番組推薦要求を映像受信端末１００へ入力し、入力部１０１がユーザの要求を受け付ける（Ｓ２００）。
【００４０】
入力部１０１は、嗜好番組取得部１０４へ推薦番組の要求を送信する。嗜好番組取得部１０４は、番組表記録部１０３からＥＰＧとＶＯＤコンテンツ一覧表を取得し、今までのユーザの嗜好情報を用いて嗜好度の高い番組を検索し、結果を表示部１０６で表示する（Ｓ２０１）。
【００４１】
ユーザは推薦番組結果から番組を選択し、視聴予約を行う。入力部１０１は、視聴予約部１０７へユーザの視聴予約要求を送信する。視聴予約部１０７は予約番組を登録する（Ｓ２０２）。
【００４２】
以降は図７のフローチャートと同じ処理を行う。
【００４３】
以上説明した本実施の形態によれば、ユーザの空き時間を取得する手段を備えた映像受信端末が、ユーザが視聴予約を行った２番組からユーザの空き時間を取得して、ユーザの空き時間に番組を推薦することが可能となる。これにより、ユーザは煩わしい作業を必要とすることなく視聴予約番組間の空き時間にユーザの好む番組を視聴することが可能となる。
（実施の形態２）
本実施の形態では、映像受信端末が、ユーザの空き時間を取得し、ユーザの空き時間を埋めることが可能な、嗜好に合った番組を推薦するために、ユーザが視聴予約を行った番組と現在時刻からユーザの空き時間を取得する場面をモデルケースとして説明する。
【００４４】
本発明の実施の形態における映像受信端末の構成図を示した図９について説明する。
【００４５】
図９において、図１と同じ機能を有する構成要素については同じ符号を付し説明を省略する。
【００４６】
映像受信端末２００の構成要素である、空き時間取得部２０８は、ユーザの空き時間を、視聴予約部１０７から取得する予約番組と、現在時刻取得部２０９から取得する現在時刻を基に取得する。
【００４７】
現在時刻取得部２０９は、現在の時刻を取得し、現在時刻を空き時間取得部２０８へ送信する。
【００４８】
以下に、図１０のフローチャートを使用して、上記の映像受信端末に視聴予約された番組と現在時刻からユーザの空き時間を取得し、空き時間を埋めることができる番組を推薦する動作を説明する。
【００４９】
ユーザは、映像受信端末１００にＥＰＧを表示する要求を送信する。要求を受信した入力部１０１は表示部１０６に番組表を表示する要求を送信する。（Ｓ３００）。
【００５０】
表示部１０６は番組表記録部１０３からＥＰＧを取得し、ＥＰＧを表示する（Ｓ３０１）。
【００５１】
ユーザは番組表から視聴予約したい番組を選択し、視聴予約要求を送信する。入力部１０１は、視聴予約部１０７へユーザの視聴予約要求を送信する。視聴予約部１０７は予約番組を登録する（Ｓ３０２）。
【００５２】
視聴予約部１０７は、登録された予約番組を嗜好番組取得部１０４と空き時間取得部２０８の双方へ送信する。同時に、空き時間取得部２０８は、現在時刻を現在時刻取得部２０９から取得する。空き時間取得部２０８は予約番組の開始時刻と現在時刻からユーザの空き時間を測定する（Ｓ３０３）。
【００５３】
嗜好番組取得部１０４は、番組表記録部１０３からＥＰＧとＶＯＤコンテンツ一覧表を取得し、視聴予約部１０７から送信されてきた番組のキーワードをＥＰＧから抽出する（Ｓ３０４）。
【００５４】
嗜好番組取得部１０４は、番組表記録部１０３からＥＰＧとＶＯＤコンテンツ一覧表を取得し、空き時間取得部２０８が取得した空き時間と、視聴予約番組から取得したキーワードから、番組を検索する（Ｓ３０５）。
【００５５】
嗜好番組取得部１０４は、番組が検索できたときは、表示部１０６で検索結果を推薦番組として表示し（Ｓ３０７）、検索できなかったときは、表示部１０６で何も表示しない（Ｓ３０８）。
【００５６】
なお、本実施の形態ではユーザの空き時間を測定するための番組を、番組表を用いた視聴予約から取得したが、映像受信端末が推薦した番組から取得する方法も考えられる。
【００５７】
映像受信端末が推薦した番組と現在時刻からユーザが空き時間を測定し、予約した番組までの空き時間を埋める番組を推薦するフローチャートを図１１に示す。
【００５８】
ユーザは番組推薦要求を映像受信端末１００へ送信し、入力部１０１がユーザの要求を受信する（Ｓ４００）。
【００５９】
入力部１０１は嗜好番組取得部１０４へ推薦番組の要求を送信する。嗜好番組取得部１０４は、番組表記録部からＥＰＧを取得し、今までのユーザの嗜好情報を用いて嗜好度の高い番組を検索し、結果を表示部１０６で表示する（Ｓ４０１）。
【００６０】
ユーザは推薦番組結果から番組を選択し、視聴予約を行う。入力部１０１は、視聴予約部１０７へユーザの視聴予約要求を送信する。視聴予約部１０７は予約番組を登録する（Ｓ４０２）。
【００６１】
以降は図７のフローチャートと同じ処理を行う。
【００６２】
以上説明した本実施の形態によれば、ユーザの空き時間を取得する手段を備えた映像受信端末が、ユーザが視聴予約を行った番組と現在時刻からユーザの空き時間を取得して、ユーザの空き時間に番組を推薦することが可能となる。これにより、ユーザは煩わしい作業を必要とすることなく、視聴予約番組が始まるまでの空き時間にユーザの好む番組を視聴することが可能となる。
（実施の形態３）
本実施の形態では、映像受信端末が、ユーザの空き時間を取得し、ユーザの空き時間を埋めることが可能な、嗜好に合った番組を推薦するために、ユーザに空き時間とユーザの嗜好を入力するインターフェースを提供する場面をモデルケースとして説明する。
本発明における映像受信端末の構成図を示した図１２について説明する。
【００６３】
図１２において、図１や図９と同じ機能を有する構成要素については説明を省略する。
【００６４】
映像受信端末３００の構成要素である空き時間・嗜好入力部３１０は、空き時間・嗜好入力部３１１から得られたユーザの入力値から、ユーザの空き時間を測定する。
【００６５】
空き時間・嗜好入力部３１１は、ユーザに空き時間と嗜好を入力するための図１３のようなインターフェースを表示部１０６に表示することで提供する。このインターフェースは一例であってこれに限定されるものではない。
【００６６】
以下に、図１４のフローチャートを使用して、ユーザの入力した空き時間と嗜好からユーザの空き時間と嗜好を取得し、空き時間を埋めることができる番組を推薦する動作を説明する。
【００６７】
ユーザから映像受信端末１００にユーザ入力画面を表示する要求が届き、要求を受信した入力部１０１は空き時間・嗜好入力部３１１にユーザ入力画面を表示する要求を送信する。（Ｓ５００）。
【００６８】
空き時間・嗜好入力部３１１は表示部１０６を用いてユーザ入力画面を表示する（Ｓ５０１）。
【００６９】
ユーザは自身の希望する開始時間、終了時間の他に、視聴したい番組のジャンル、出演者等の情報を入力する（Ｓ５０２）。
【００７０】
空き時間・嗜好入力部３１１は、ユーザの入力した開始時間と、終了時間を空き時間取得部３１０へ送信する。空き時間取得部３１０は開始時刻と終了時刻からユーザの空き時間を測定する（Ｓ５０３）。
【００７１】
空き時間・嗜好入力部３１１は、ユーザの視聴したい番組の情報を嗜好番組取得部１０４へ送信し、嗜好番組取得部１０４はキーワードの抽出を行う（Ｓ５０４）。
【００７２】
嗜好番組取得部１０４は、番組表記録部１０３からＥＰＧとＶＯＤコンテンツ一覧情報を取得し、空き時間取得部３１０の測定結果と、空き時間・嗜好入力部３１１から取得したキーワードから、番組を検索する（Ｓ５０５）。
【００７３】
嗜好番組取得部１０４は、番組が検索できたときは、表示部１０６で検索結果を推薦番組として表示し（Ｓ５０７）、検索できなかったときは、表示部１０６で何も表示しない（Ｓ５０８）。
【００７４】
以上説明した本実施の形態によれば、ユーザに空き時間と嗜好を入力するインターフェースを提供する手段を備えた映像受信端末が、ユーザの入力により、空き時間を取得して、ユーザの空き時間を埋める番組を推薦することが可能となる。これにより、ユーザは煩わしい作業を必要とすることなく任意の空き時間にユーザの好む番組を視聴することが可能となる。
【産業上の利用可能性】
【００７５】
本発明にかかる番組推薦映像受信端末は、ユーザの空き時間に番組を推薦することが可能になるため、電波放送、ＩＰ放送において、ユーザの空いた時間において、自身に適した番組を視聴することができる技術として有用である。
【図面の簡単な説明】
【００７６】
【図１】映像受信端末の説明図及び本発明の第１の実施の形態における映像受信端末の構成図
【図２】従来の番組推薦映像受信端末の構成図
【図３】ユーザの嗜好情報リスト表を表す図
【図４】放送番組用の番組表を表す図
【図５】ＶＯＤコンテンツの一覧表を表す図
【図６】番組の視聴予約表を表す図
【図７】視聴予約された２番組による空き時間番組推薦フローチャート
【図８】推薦された２番組による番組による空き時間番組推薦フローチャート
【図９】本発明の第２の実施の形態における映像受信端末の構成図
【図１０】視聴予約された番組と現在時刻による空き時間番組推薦フローチャート
【図１１】推薦された番組と現在時刻による空き時間番組推薦フローチャート
【図１２】本発明の第３の実施の形態における映像受信端末の構成図
【図１３】空き時間入力画面を表す図
【図１４】ユーザの入力による空き時間番組推薦フローチャート
【符号の説明】
【００７７】
１００    映像受信端末
１０１    入力部
１０２    チューナ部
１０３    番組表記録部
１０４    嗜好番組取得部
１０５    空き時間取得部
１０６    表示部
１０７    視聴予約部
２００    映像受信端末
２０８    空き時間取得部
２０９    現在時刻取得部
３００    映像受信端末
３１０    空き時間取得部
３１１    ユーザインターフェース部
５００    映像受信端末
５０１    入力部
５０２    チューナ部
５０３    番組表記録部
５０４    嗜好番組取得部
５０５    表示部
８００    放送網
９００    通信網
【図１】
2007281841.tif 000003
【図２】
2007281841.tif 000004
【図３】
2007281841.tif 000005
【図４】
2007281841.tif 000006
【図５】
2007281841.tif 000007
【図６】
2007281841.tif 000008
【図７】
2007281841.tif 000009
【図８】
2007281841.tif 000010
【図９】
2007281841.tif 000011
【図１０】
2007281841.tif 000012
【図１１】
2007281841.tif 000013
【図１２】
2007281841.tif 000014
【図１３】
2007281841.tif 000015
【図１４】
2007281841.tif 000016